(57)【要約】【課題】コ字状指針を一体成型により形成することにより、指針の形状精度を向上させて指針の良好な見映えが得られる指針計器を提供することを目的とする。【解決手段】ボス部９ｂ、腕部９ａ、ポインタ９ｃおよびカウンタウェイト９ｄからなるコ字状の指針を一体として成型加工により形成した。これにより、指針９の形状精度を向上させて指針９の良好な見映えが得られるタコメータＴを提供することができる。すなわち、従来の指針計器の指針において、ポインタと連結部との結合部分の見映えが低下する、という問題を解消することができる。【選択図】図２
2008014931.tif 000002
【特許請求の範囲】
【請求項１】
表示装置と、
指標部を備え前記表示装置の周囲に配置された表示板と、
前記表示装置の周囲を移動するとともに前記表示板を指示する指針と、
前記表示装置を照明する第１照明部材と、
前記表示板を照明する第２照明部材と、
前記表示装置の背面側に配置された回路基板と、
前記回路基板に実装されて前記指針を回動させるムーブメントとを備え、
前記指針は前記ムーブメントのシャフトに固定されるボス部と、前記ボス部から前記表示板の外周側へ向けて延出される腕部と、前記腕部先端から前記表示板の表面に沿い前記文字盤の内周側へ向けて延出されるポインタ部とにより略コ字状に形成され、且つ透光性樹脂により一体成型され、
前記表示装置、前記表示板、前記第１照明部材および前記第２照明部材をブラケットに一体的に収容保持して表示ユニットを構成し、
前記表示ユニットは前記ブラケットを介して前記回路基板に固定され、
前記表示ユニットは視認方向において前記指針の前記ポインタ部および前記腕部に挟まれることを特徴とする指針計器。
【請求項２】
前記第１照明部材は第1光源が発する光を前記表示装置の背面側に導く第１導光板であり、
前記第２照明部材は第２光源が発する光を前記表示板の背面側に導く第２導光板であり、
前記第１光源および前記第２光源は前記回路基板上に実装されていることを特徴とする請求項１に記載の指針計器。
【請求項３】
前記ブラケットは前記第１導光板と前記第２導光板との間に遮光壁を備えることを特徴とする請求項２に記載の指針計器。
【請求項４】
前記表示装置は液晶表示器であることを特徴とする請求項１ないし請求項３のいずれかに記載の指針計器。
【請求項５】
請求項１ないし請求項４のいずれかに記載の指針計器の製造方法であって、
前記回路基板に実装されている前記ムーブメントに前記指針を固定する指針取付け工程と、
前記表示装置、前記表示板、前記第１照明部材および前記第２照明部材を前記ブラケットに組付けて前記表示ユニットを形成する表示ユニット形成工程と、
前記指針取付け工程の完了した前記回路基板に前記表示ユニットを固定する表示ユニット取付け工程とを備え、
前記表示ユニット取付け工程は、前記指針を所定角度位置に維持する指針調整工程と、コ字状の前記指針の開口端側から前記ポインタ部と前記腕部との間に前記表示ユニットを前記回路基板の面沿い方向に移動させつつ挿入する挿入工程と、前記表示ユニットを前記回路基板に固定する固定工程とを備えることを特徴とする指針計器の製造方法。
【発明の詳細な説明】
【技術分野】
【０００１】
本発明は、指針の回転角度により被測定量の大きさを指示する指針計器およびその製造方法に関するものであり、自動車等に用いて好適である。
【背景技術】
【０００２】
従来の指針計器として、たとえば表示装置の周囲に文字盤を設けるとともに表示装置の裏面側に指針を回転させるムーブメントを配置し、表示装置および文字板を迂回して文字板の外周側から文字盤上に延出する指針計器を備えた構成のものがある（特許文献１参照）。
【０００３】
この場合、指針計器の中央部分、すなわち計器の表示機能に寄与しないスペースの有効利用を図ることができる。
【特許文献１】特開２００５−１０６５８５号公報
【発明の開示】
【発明が解決しようとする課題】
【０００４】
上述の従来の指針計器においては、指針は、略コ字状に形成されており、コ字の上側の横棒が文字盤を直接指示するポインタとなり、コ字の縦棒および下側の横棒がムーブメントのシャフトとポインタを連結する連結部となっている。すなわち、従来の指針計器における指針は、ポインタおよび連結部の２部品から構成され、両者を固定して指針が形成される。
【０００５】
このため、指針の形状精度、つまりポインタと連結部との位置関係精度を良好に維持することが困難であり、また、ポインタと連結部との固定部分の見映えが低下する、という問題がある。
【０００６】
本発明は、上記の問題点に鑑みなされたもので、指針計器におけるコ字状指針を一体成型により形成することにより、指針の形状精度を向上させて指針の良好な見映えが得られる指針計器を提供することを目的とする。また、指針の形状精度を向上させ且つ指針の見映えを良好なものにできる指針計器の製造方法を提供することを目的とする。
【課題を解決するための手段】
【０００７】
本発明は上記目的を達成する為、以下の技術的手段を採用する。
【０００８】
本発明の請求項１に記載の指針計器は、表示装置と、指標部を備え前記表示装置の周囲に配置された表示板と、表示装置の周囲を移動するとともに表示板を指示する指針と、表示装置を照明する第１照明部材と、表示板を照明する第２照明部材と、表示装置の背面側に配置された回路基板と、回路基板に実装されて指針を回動させるムーブメントとを備え、指針はムーブメントのシャフトに固定されるボス部と、ボス部から表示板の外周側へ向けて延出される腕部と、腕部先端から表示板の表面に沿い表示板の内周側へ向けて延出されるポインタ部とにより略コ字状に形成され、且つ透光性樹脂により一体成型され、表示装置、表示板、第１照明部材および第２照明部材をブラケットに一体的に収容保持して表示ユニットを構成し、表示ユニットはブラケットを介して回路基板に固定され、表示ユニットは視認方向において指針の前記ポインタ部および腕部に挟まれることを特徴としている。
【０００９】
上述の構成によれば、指針は、透光性樹脂を一体成型加工することにより形成されるので、形状精度を高められるとともに、ポインタ部と腕部との連結部の形状を必要最小限度の大きさに抑えることができる。これにより、従来の指針計器の指針における、ポインタと連結部との固定部分の見映えが低下する、という問題を解消して、指針の良好な見映えが得られる指針計器を提供することができる。
【００１０】
また、上述の構成によれば、表示装置、表示板、第１照明部材および第２照明部材はブラケットに一体的に収容保持されて表示ユニットを構成し、この表示ユニットがブラケットを介して回路基板に固定されるとともに、表示ユニットは視認方向において指針のポインタ部および腕部に挟まれている。この場合、表示装置、表示板、第１照明部材および第２照明部材を一つの表示ユニットとして取り扱うことができるので、指針計器の組付け工程において作業性を向上させることがでる。
【００１１】
本発明の請求項２に記載の指針計器は、第１照明部材は第1光源が発する光を表示装置の背面側に導く第１導光板であり、第２照明部材は第２光源が発する光を表示板の背面側に導く第２導光板であり、第１光源および第２光源は回路基板上に実装されていることを特徴としている。
【００１２】
上述の構成によれば、表示ユニット照明用の光源である第１、第２光源は回路基板に実装され、表示ユニットが備える電気装置は表示装置のみとなる。したがって、表示ユニットを回路基板に固定する際に表示ユニットおよび回路基板間の電気接続対象は表示装置のみとなり、表示ユニットおよび回路基板間の電気接続手段（たとえばフレキシブルプリント回路）を小型化するとともに、指針計器の組付け工程において作業性を向上させることがでる。
【００１３】
本発明の請求項３に記載の指針計器は、ブラケットは第１導光板と第２導光板との間に遮光壁を備えることを特徴としている。
【００１４】
上述の構成によれば、表示装置照明用の第１光源が発する光と表示板照明用の第２光源が発する光とが、第１導光板と第２導光板との隣接部分を介して混合することを阻止できる。したがって、表示装置および表示板の見映えを良好なものにできる。
【００１５】
本発明の請求項４に記載の指針計器は、表示装置は液晶表示器であることを特徴としている。
【００１６】
液晶表示器は、画面に表示される表示意匠の選択自由度が広く、また、複数の情報を同時あるいは順番に表示することが可能である。
【００１７】
したがって、表示スペースの有効利用を図りつつ、視認性に優れ且つ斬新な見映えの指針計器を提供することができる。
【００１８】
本発明の請求項５に記載の指針計器の製造方法は、回路基板に実装されているムーブメントに指針を固定する指針取付け工程と、表示装置、表示板、第１照明部材および第２照明部材をブラケットに組付けて表示ユニットを形成する表示ユニット形成工程と、指針取付け工程の完了した回路基板に表示ユニットを固定する表示ユニット取付け工程とを備え、表示ユニット取付け工程は、指針を所定角度位置に維持する指針調整工程と、コ字状の指針の開口端側からポインタ部と腕部との間に表示ユニットを回路基板の面沿い方向に移動させつつ挿入する挿入工程と、表示ユニットを回路基板に固定する固定工程とを備えることを特徴としている。
【００１９】
これにより、指針計器の表示意匠と表示器の外形形状を相似形状として表示デザインを統一することにより、デザイン性に優れ斬新な見映えの指針計器を提供することができる。
【００２０】
この場合、本発明の請求項６に記載の指針計器のように、縁板の外形形状えを円形に形成すれば、指針計器の表示意匠と表示器の表示デザインの統一性をより強めることができるので、より一層デザイン性に優れ且つ斬新な見映えの指針計器を提供することができる。
【発明を実施するための最良の形態】
【００２１】
以下、本発明による表示装置を自動車に搭載されるコンビネーションメータ１００に組み込まれたタコメータＴに適用した場合を例に図面に基づいて説明する。
【００２２】
図１は、本発明の一実施形態によるタコメータＴを備えたコンビネーションメータ１００の部分正面図である。
【００２３】
図２は、図１中のＩＩ−ＩＩ線断面図である。
【００２４】
図３は、図２中のＩＩＩ部拡大図である。
【００２５】
図４は、本発明の一実施形態によるタコメータＴの電気回路構成を説明する模式図である。
【００２６】
コンビネーションメータ１００は、自動車の運転席前方の運転者から視認可能な位置に配設され、図１に示すように、当該自動車のエンジンの回転速度を指示するタコメータＴを備えるとともに、さらに図示しない他の計器や各種インジケータ等を備えている。運転席は、図２においてコンビネーションメータ１００の左側にあり、コンビネーションメータ１００は、図２において左側から運転者によって視認される。
【００２７】
タコメータTは、前面側、すなわち視認者側から、図２に示すように、目盛リング１２、指針９、文字板２および液晶表示器１が配置されている。以下に、タコメータTの構成について説明する。
【００２８】
タコメータＴは、大きくは、文字２ａを備えた文字板２、目盛３ａを備えた目盛リング１３、ムーブメント８により回動されて文字２ａおよび目盛３ａを指示する指針９等から構成されている。文字板２の中央部には、表示装置としての液晶表示器１が配置されている。液晶表示器１には、図１に示すように、当該自動車の累積走行距離を指示するオドメータＡおよび区間走行距離を指示するトリップメータＢが形成されている。
【００２９】
表示装置である液晶表示器１は、たとえばドットマトリクス型のものが用いられている。液晶表示器１は、その外径が略円形に形成されている。液晶表示器１の一端側には、図２に示すように、液晶表示器１を制御回路に接続するためのリード線としてのフレキシブル回路基板１ａが接続延出されている。
【００３０】
液晶表示器１の裏面側には、第１照明部材である第１導光板３が液晶表示器１に密着させて配置されている。第１導光板３は、透光性材質、たとえば無色透明のポリカーボネート樹脂あるいはアクリル樹脂等から成型加工により作られている。第１導光板３は、第１光源である発光ダイオード６が発する光を液晶表示器１の裏面に導いて、液晶表示器１を透過照明するためのものである。第１導光板３は、その平面形状が液晶表示器１と同等に形成されるとともに、一端側、つまり液晶表示器１のフレキシブル回路基板１ａと同じ側が、図２に示すようにＬ字状に折れ曲がっている。
【００３１】
液晶表示器１の周囲には、文字板２が配置されている。文字板２は、透光性材質、たとえば無色透明のポリカーボネート樹脂あるいはアクリル樹脂等の薄板から略環状に形成されている。文字板２は、液晶表示器１の前面側に重ねて配置され、文字板２の中央部の貫通孔である開口窓２ｂを介して液晶表示器１が視認される。
【００３２】
文字板２には、指標部としての文字２ａが設けられている。文字２ａは、文字板２の表面（図２において左側の面）あるいは裏面（図２において右側の面）に印刷あるいはホットスタンプ等を施すことにより形成されている。すなわち、文字２ａ以外の部分に不透光性着色層あるいは半透光性着色層を設けると共に、文字２ａを透明なままとする、あるいは半透光性着色層を設ける等の処理を施してある。これにより、文字板２が透過照明されると、文字２ａが発光表示される。
【００３３】
文字板２の裏面側には、第２照明部材である第２導光板４が液晶表示器１に密着させて配置されている。第２導光板４は、透光性材質、たとえば無色透明のポリカーボネート樹脂あるいはアクリル樹脂等から成型加工により作られている。第２導光板４は、第２光源である発光ダイオード７が発する光を文字板２の裏面に導いて、文字板２を透過照明するためのものである。第２導光板４は、その平面形状が文字板２の文字２ａが設けられた領域をカバーしつつ略Ｃ字状に形成されるとともに、Ｃ字の両端部が、第１導光板３の場合と同様にＬ字状に折れ曲がっている。
【００３４】
以上説明した、液晶表示器１、文字板２、第１導光板３および第２導光板４は、ブラケット５に収容保持されて一体化されて表示ユニットＤを構成している。ブラケット５は、樹脂材料を成型加工して形成されている。ブラケット５内において、第１導光板３の外周側に第２導光板４が、図３に示すように略同心上に配置されている。なお、図３においては、第１導光板３および第２導光板４の位置関係を分り易くするために、液晶表示器１を省略している。ブラケット５には、第１導光板３および第２導光板４の間に遮光壁５ａが設けられている。遮光壁５ａは第１導光板３および第２導光板４の一方内を進行する光が他方内へ入射して、液晶表示器１および文字板２の透過照明用光線が混合してしまい、それらの見映えが低下することを防止するものである。遮光壁５ａは、第１導光板３および第２導光板４の平面部分のみならず、Ｌ字状に折れ曲がった部分においても両者を隔離するように形成されている。表示ユニットＤは、図２に示すように、ブラケット５をスクリュウ１２で締め付けることによりプリント基板１１に固定されている。
【００３５】
プリント基板１１は、たとえばガラスエポキシ基板等からなり、タコメータＴを含むコンビネーションメータ１の電気回路部を形成している。プリント基板１１には、第１導光板３のＬ字状に折れ曲がった部分の先端に対向して第１光源である発光ダイオード６が、第２導光板４のＬ字状に折れ曲がった部分の先端に対向して第２光源である発光ダイオード７が、図２および図３に示すように、それぞれ実装されている。発光ダイオード６は、図３に示すように３個、発光ダイオード７は、図３に示すように、Ｃ字の両端に１個づつ配置され、それにより、液晶表示器１および文字板２の全域が一様な明るさで照明される。ブラケット５がプリント基板１１に固定されると、発光ダイオード６、７の外周側がブラケット５で覆われるとともに、発光ダイオード６および発光ダイオード７の境界においては遮光壁５ａがプリント基板１１表面まで延出されている。したがって、発光ダイオード６が発する光が第２導光板４に入射すること、発光ダイオード７が発する光が第１導光板３に入射すること、および両発光ダイオード６、７が発する光がブラケット５外部に漏れることが確実に阻止される。
【００３６】
プリント基板１１には、液晶表示器１のフレキシブル回路基板１ａが、図２に示すように、コネクタ１ｂを介して接続されている。
【００３７】
プリント基板１１には、図２に示すように、指針９を回動させるためのムーブメント８が実装されている。ムーブメント８は、ステッピングモータ、あるいは交差コイル式回転機等の電気アクチュエータからなり、外部からの電気信号（タコメータＴにおいてはエンジンの回転速度信号）に基づいて駆動信号が印加され、それによりシャフト８ａを回転させる。ムーブメント８は、そのシャフト８ａを文字板２の中心と一致されて配置されている。ムーブメント８のシャフト８ａの先端には、図２に示すように、指針９が固定されている。
【００３８】
指針９は、透光性材料、たとえば無色透明のポリカーボネート樹脂あるいはアクリル樹脂等により成型加工して形成されている。指針９は、図２に示すように、ムーブメント８のシャフト８ａに固定されるボス部９ｂ、ボス部９ｂから文字板２の外周側へ向けて延出される腕部９ａ、腕部９ａ先端から文字板２の表面２ａに沿い文字板２の内周側へ向けて延出されるポインタ９ｃとを有している。すなわち、指針９は、図２に示すように、腕部９ａとポインタ９ｃとにより略コ字状を成し且つ腕部９ａとポインタ９ｃとが表示ユニットＤ表裏から挟むように配置されている。指針９のボス部９ｂを挟んで腕部９ａの反対側には、図２に示すように、カウンタウェイト９ｄが設けられている。カウンタウェイト９ｄは、指針９におけるシャフト８ａ回りの不釣合いモーメントの大きさをできるだけ小さくして指針９の回転を滑らかにするためのものである。なお、カウンタウェイト９ｄには、比重量の大きい材質、たとえば金属材料等からなる錘を固定すれば、カウンタウェイト９ｄの体格を増大させずに、指針９におけるシャフト８ａ回りの不釣合いモーメントの大きさを小さくすることができる。
【００３９】
指針９は、ボス部９ｂ、腕部９ａ、ポインタ９ｃおよびカウンタウェイト９ｄを一体として成型加工により形成している。
【００４０】
指針９は、プリント基板１１上の指針９のボス部９ｂ近傍に対向して実装された発光ダイオード１０が発する光により発光表示される。すなわち、発光ダイオード１０が発する光がボス部９ｂ付近から指針９内に入射し、指針９内を反射しながら進行し、ポインタ９ｃから出射することにより発光表示される。
【００４１】
ここで、略コ字状の指針９は、表示ユニットＤを外周側から挟むように配置されて回転する。したがって、表示ユニットＤ、詳しくはブラケット５の形状は、指針９の通常の回転作動時において指針９の回転を妨げないように、言い換えると指針９と干渉しないように設定されている。
【００４２】
指針９全体を一体成型により形成したので、指針９の形状精度を向上させて指針９の良好な見映えが得られるタコメータＴを提供することができる。すなわち、従来の指針計器の指針において、ポインタと連結部との結合部分の見映えが低下する、という問題を解消することができる。
【００４３】
文字板２の外周側且つ指針９の回動範囲の外周側には、図２に示すように、目盛リング１３が配置されている。目盛リング１３は、透光性材料、たとえば無色透明のポリカーボネート樹脂あるいはアクリル樹脂等により成型加工して形成されている。目盛リング１３は、一部が切れた環状に形成されるとともに、文字板２と同軸上、つまりムーブメント８のシャフト８ａと同軸上に配置されている。目盛リング１３は、図２に示すように、その表面から前面側（図２において左側）に突出する凸部として形成された目盛１３ａを備えている。目盛リング１３の表面の目盛１３ａを除くには、印刷あるいはホットスタンプにより不透光性着色層が施されている。これにより、目盛リング１３が、プリント基板１１に実装された発光１４が発する光により導光板１５を介して照射されると、目盛１３ａのみが発光表示される。
【００４４】
プリント基板１１には、液晶表示器１の表示駆動制御、各発光ダイオード６、７、１０、１４の点灯・消灯制御、ムーブメント８の駆動制御を行なうコントローラ１６が実装されている。コントローラ１６は、たとえばマイクロコンピュータ等から構成されている。
【００４５】
以上説明した、表示ユニットＤ、プリント基板１１、目盛リング１３等は、図２に示すように、樹脂材料から成形されるケーシング１７内に収容保持されている。
【００４６】
また、目盛リング１３の前面側には、図２に示すように、略枠状の見返し板１８が装着され、さらに見返し板１８の先端部には透明カバー１９が装着されている。見返し板１８は、たとえば樹脂材料から形成されている。透明カバー１９は、透明な樹脂の薄板あるいはガラス等から形成されている。見返し板１８および透明カバー１９は、コンビネーションメータ１の見映えを整えると同時に、コンビネーションメータ１内部への埃、水分等の侵入を防止している。
【００４７】
一方、ケーシング１７の背後には、図２に示すように、ロアカバー２０が装着されている。ロアカバー２０は、たとえば樹脂材料から形成されている。
【００４８】
次に、以上説明した、本発明の一実施形態によるタコメータＴの電気回路構成および作動について、図４に基づいて説明する。
【００４９】
図４の電気回路構成図に示すように、コントローラ１６には、バッテリ２２から電力が常時供給されている。また、コントローラ１６には、イグニッションスイッチ２１が、その操作状態（ＯＮまたはＯＦＦ）を検出可能に接続されている。
【００５０】
コントローラ１６には、その制御対象である、液晶表示器１、ムーブメント８、発光ダイオード６、７、１０、１４が接続されている。
【００５１】
さらに、コントローラ１６には、当該自動車のエンジン回転速度を検出する回転センサ２３、当該自動車の走行距離を検出する距離センサ２４が、検出信号を入力可能に接続されている。距離センサ２４としては、たとえば変速機の出力軸であるプロペラシャフト（図示せず）の回転速度を検出するもの等が用いられている。この場合、プロペラシャフトの回転速度、デファレンシャルギヤの減速比（既知）および駆動車輪のタイヤ直径（既知）から、自動車の走行距離を算出することができる。
【００５２】
（１）イグニッションスイッチ２１がＯＮされた場合。
【００５３】
運転者によりイグニッションスイッチ２１がＯＮされると、コントローラ１６はそれを検知して、タコメータＴの表示制御作動を開始する。
【００５４】
コントローラ１６は、発光ダイオード６、７、１０、１４を点灯状態する。これにより、文字板２の文字２ａが発光ダイオード７からの光により、目盛リング１３の目盛３ａが発光ダイオード１４からの光により、指針９が発光ダイオード１０からの光により、それぞれ照明されて発光表示される。同時に、液晶表示器１が発光ダイオード６からの光により透過照明されて視認可能常態となる。
【００５５】
続いて、コントローラ１６は、回転センサ２３からの検出信号に基づきムーブメント８を駆動して、シャフト８ａを所定角度、すなわち当該自動車のエンジン回転速度に対応する角度に回動させる。これにより、タコメータＴ部においては、指針９、詳しくはポインタ９ｃが文字板２上の所定の文字２ａおよび目盛リング１３の目盛３ａを指示してエンジン回転速度が指示される。
【００５６】
続いて、コントローラ１６は、距離センサ２４からの信号に基づいて当該自動車の走行距離を算出し、液晶表示器１を駆動してその画面に当該自動車の走行距離、つまり、図１に示すように、累積走行距離（ＯＤＯ）および区間走行距離（ＴＲＩＰ）を表示する。
【００５７】
（２）イグニッションスイッチ２１がＯＦＦされた場合。
【００５８】
運転者によりイグニッションスイッチ２１がＯＦＦされると、コントローラ１６は、そのことを検知して、発光ダイオード６、７、１０、１４を消灯させる。また、コントローラ１６は、ムーブメント８および液晶表示器１の駆動を停止する。
【００５９】
次に、本発明の一実施形態によるタコメータＴの製造方法、主に、表示ユニットＤをプリント基板１１へ固定する組付け方法について説明する。
【００６０】
この時点までに、プリント基板１１には、各発光ダイオード６、７、１０、１４、ムーブメント８、コントローラ１６等の実装が完了している。
【００６１】
先ず、指針９のボス部９ｂをプリント基板１１上のムーブメント８のシャフト８ａに固定して、指針取付け工程を実施する。
【００６２】
次に、表示ユニットＤを製作する表示ユニット形成工程を実施する。すなわち、ブラケット５に、第１導光板３、第２導光板４、液晶表示器１および文字板２を装着固定する。先ず、第１導光板３および第２導光板４をブラケット５に組み付ける。次に、液晶表示器１を第１導光板３の上に重ねて装着する。最後に、文字板２を第２導光板４の上に重ねて装着する。
【００６３】
なお、上述した、指針取付け工程と表示ユニット形成工程とは、順番を入れ替えてもよい。また、両工程を同時に平行して実施してもよい。
【００６４】
次に、指針取付け工程が完了したプリント基板１１に、表示ユニットＤを固定する表示ユニット取付け工程を実施する。
【００６５】
先ず、指針９の角度位置を所定角度位置に維持する指針調整工程を実施する。ここで、所定角度位置とは、指針９の腕部９ａとポインタ９ｃの合流部が、プリント基板１１上の表示ユニットＤ固定位置、つまりスクリュウ１２装着位置とシャフト８ａを挟んで反対側となるような位置、言い換えると、コ字状の指針９の開口端がプリント基板１１上のスクリュウ１２装着位置側を向くような位置、つまり図２に示すような角度位置にセットする。この作業は、たとえば、プリント基板１１を組付け作業用の電気回路装置に接続してこの電気回路装置によりムーブメント８を駆動して行われる。
【００６６】
次に、指針９のコ字状の開口端側から腕部９ａとポインタ９ｃとの間に表示ユニットＤをプリント基板１１の面沿い方向に移動させつつ挿入する挿入工程を実施する。
【００６７】
最後に、スクリュウ１２をプリント基板１１を介してブラケット５の取付け孔５ｂに締め付けて、ブラケット５をプリント基板１１に固定し、液晶表示器１のコネクタ１ｂをプリント基板１１に接続して、表示ユニットＤのプリント基板への組付けが完了する。
【００６８】
以上説明した、本発明の一実施形態によるタコメータＴにおいては、略コ字状の指針９を透光性樹脂により一体成型して形成した。
【００６９】
これにより、指針９の形状精度を向上させて指針９の良好な見映えが得られるタコメータＴを提供することができる。すなわち、従来の指針計器の指針において、ポインタと連結部との結合部分の見映えが低下する、という問題を解消することができる。
【００７０】
次に、本発明の一実施形態の変形例によるタコメータＴの構成およびその組付け方法について、図５〜図８に基づいて説明する。なお、図５〜図８において、上述した本発明の一実施形態によるタコメータＴと同一構成要素には同一符号を付してある。
【００７１】
この変形例によるタコメータＴは、上述した本発明の一実施形態によるタコメータＴとは、液晶表示器１を照明する第１照明部材である第１導光板３の構成、および全体的な形状の２点が異なり、それら以外の基本構成は、上述した本発明の一実施形態によるタコメータＴと同一である。
【００７２】
変形例によるタコメータＴにおいては、第１導光板３を、液晶表示器１を二分した内の一方の領域を照明する第１導光板３１と、液晶表示器１を二分した内の他方の領域を照明する第１導光板３２とから構成している。第１導光板３１の一部と第１導光板３２とは、図５に示すように、視認方向、つまりムーブメント８のシャフト８ａの軸方向において重ねて配置されている。そして、第１導光板３１と第１導光板３２との間には、図５に示すように、遮光板３３が介在されている。遮光板３３は、遮光性を備えた樹脂薄板あるいは金属薄板から形成されている。遮光板３３は、第１導光板３２から出射した光が第１導光板３１を経由して液晶表示器１を照明することを阻止するものである。このように、液晶表示器１を照明する照明部材である第１導光板を２つの導光板、つまり第１導光板３１および第１導光板３２により構成したことに対応して、第１光源である発光ダイオードも、第１導光板３１に光を入射する発光ダイオード２５と第１導光板３２に光を入射する発光ダイオード２６との２種類が設けられている。すなわち、図８に示すように、発光ダイオード２５は第１導光板３１に対向して、発光ダイオード２６は第１導光板３２に対向して、それぞれプリント基板１０上に実装されている。
【００７３】
以下に、本発明の一実施形態の変形例によるタコメータＴの組付け方法について、表示ユニットＤの組付け方法、ケーシング１７へのプリント基板１１組付けおよび指針９打ち込み方法、総組付け方法の３部に分けて説明する。
【００７４】
はじめに、表示ユニットＤの組付け方法について図６に基づいて説明する。なお、以下に説明する表示ユニットＤの組付け工程以前の工程において、文字板２は第２導光板４に装着され両者は一体化されている。
【００７５】
ブラケット５に、第１導光板３１、遮光板３３、第１導光板３２、液晶表示器１、第２導光板４、および文字板２を装着固定して表示ユニットＤを形成する。具体的には、第１導光板３１のガイド部３１ａ、遮光板３３のガイド部３３ａ、第１導光板３２のガイド部３２ａを、図６の上方からブラケット５のガイド孔５ｃ内に挿入し固定する。続いて、液晶表示器１を、図６の上方から第１導光板３１および第１導光板３２に重ねて固定する。続いて、文字板２が既に装着されている第２導光板４のガイド部４ａを、図６の上方からブラケット５のガイド孔５ｄ内に挿入し固定する。以上で、表示ユニットＤの組付けが完了する。
【００７６】
次に、ケーシング１７へのプリント基板１１組付けおよび指針９打ち込み方法について、図７に基づいて説明する。なお、以下に説明する、ケーシング１７へのプリント基板１１組付けおよび指針９打ち込み工程以前において、プリント基板１１へのムーブメント８、発光ダイオード７、１０、１４、２５、２７、コントローラ１６等の電気部品の実装が既に完了している。
【００７７】
先ず、プリント基板１１を、ケーシング１７の背面側から、つまり運転者側と反対側、図７中において下側から、ケーシング内に挿入固定する。続いて、目盛リング１３照明用の導光板１５を、ケーシング１７の前面側から、つまり図７中において上側から、ケーシング内に挿入固定する。このとき、導光板１５の突起１５ａをケーシング１７のガイド溝１７ａに嵌合させる。これにより、導光板１５とケーシング１７とが所定の位置関係に正確に維持される。続いて、指針９をムーブメント８のシャフト８ａに圧入固定する。この指針９固定工程について説明する。先ず、専用の電気装置によりムーブメント８を駆動して、シャフト８ａの回転角度位置を所定角度位置にセットする。次に、指針９とケーシング１７との位置関係、すなわち指針９の腕部９ａとケーシング１７との角度位置を所定角度に合わせつつ、指針９のボス部９ｂをシャフト８ａに圧入する。ここで、指針９の腕部９ａとケーシング１７との角度位置合わせは、たとえば、ケーシング１７に設けられた照準部と指針９の腕部９ａとがシャフト８ａの軸方向において重なるように目視で合わせて行われる。上述の照準部は、たとえば突起あるいは孔としてケーシング１７に形成されている。以上で、ケーシング１７へのプリント基板１１組付けおよび指針９打ち込みが完了する。
【００７８】
最後に、タコメータＴとしての総組付け方法について図８に基づいて説明する。
【００７９】
先ず、指針９の角度位置を、図８に示すように、表示ユニットＤがケーシング１７へ取付け可能となるような所定角度位置にセットする。ここで、所定角度位置とは、指針９の腕部９ａとポインタ９ｃの合流部が、ケーシング１７上における表示ユニットＤ固定位置、つまり図８中において二点鎖線Ｄ´で示す部分とシャフト８ａを挟んで反対側となるような位置、言い換えると、コ字状の指針９の開口端がケーシング１７上における表示ユニットＤ固定位置側を向くような位置である。この指針９の角度位置合わせ作業は、たとえば、プリント基板１１を組付け作業用の電気回路装置に接続してこの電気回路装置によりムーブメント８を駆動して行われる。
【００８０】
次に、表示ユニットＤを、指針９のコ字状の開口端側から腕部９ａとポインタ９ｃとの間にケーシング１７の面沿い方向、すなわち図７中の矢印Ｓ方向に移動させつつ挿入し固定する。続いて、液晶表示器１をプリント基板１１に電気的に接続する。
【００８１】
次に、見返し板１８、目盛リング１３を、図７の上方からケーシング１７の前面側へ固定する。以上で、表示ユニットＤのプリント基板１１、すなわちケーシング１７への組付けが完了する。
【００８２】
なお、以上説明した本発明の一実施形態によるタコメータＴにおいては、液晶表示器１のバックライト用光源として発光ダイオード６、文字２ａ照明用光源として発光ダイオード７、目盛３ａ照明用光源として発光ダイオード１４、指針９照明用光源として発光ダイオード１０をそれぞれ用いているが、これらの発光ダイオードの少なくとも一方を他の種類の光源、たとえば電球、放電管、ＥＬパネル等に置き換えても良い。
【００８３】
また、以上説明した本発明の一実施形態においては、指針計器をタコメータＴとしているが、本発明を他の指針計器、たとえば走行速度を指示するスピードメータあるいは残存燃料量を表示する燃料計に適用してもよい。
【００８４】
また、以上説明した本発明の一実施形態によるタコメータＴにおいては、液晶表示器１によりオドメータＡおよびトリップメータＢを形成しているが、これらの計器に限定する必要は無く、液晶表示器１上に他の種類の計器、あるいは各種警告表示等を形成してもよい。
【００８５】
また、以上説明した本発明の一実施形態によるタコメータＴにおいては、表示装置として液晶表示器１を用いているが、他の種類の表示装置、例えば蛍光表示管等を用いてもよい。
【図面の簡単な説明】
【００８６】
【図１】本発明の一実施形態によるタコメータＴの正面図である。
【図２】図１中のＩＩ−ＩＩ線断面図である。
【図３】図２中のＩＩＩ−ＩＩＩ線断面図である。
【図４】本発明の一実施形態によるタコメータＴの電気回路構成を説明する模式図である。
【図５】本発明の一実施形態の変形例によるタコメータＴの部分断面図であり、図１中のＩＩ−ＩＩ線断面図に相当する。
【図６】本発明の一実施形態の変形例によるタコメータＴの表示ユニットＤの分解斜視図である。
【図７】本発明の一実施形態の変形例によるタコメータＴのケーシング１７の分解斜視図である。
【図８】本発明の一実施形態の変形例によるタコメータＴの分解斜視図である。
【符号の説明】
【００８７】
１    液晶表示器（表示装置）
１ａ    フレキシブル回路基板
１ｂ    コネクタ
２    文字板（表示板）
２ａ    文字（指標部）
３    第１導光板（第１照明部材）
３１    第１導光板（第１照明部材）
３１ａ    ガイド部
３２    第１導光板（第１照明部材）
３２ａ    ガイド部
３３    遮光板
３３ａ    ガイド部
４    第２導光板（第２照明部材）
４ａ    ガイド部
５    ブラケット
５ａ    遮光壁
５ｂ    取付け孔
５ｃ    ガイド孔
５ｄ    ガイド孔
６    発光ダイオード（第１光源）
７    発光ダイオード（第２光源）
８    ムーブメント
８ａ    シャフト
９    指針
９ａ    腕部
９ｂ    ボス部
９ｃ    ポインタ（ポインタ部）
９ｄ    カウンタウェイト
１０    発光ダイオード
１１    プリント基板
１２    スクリュウ
１３    目盛リング
１３ａ    目盛
１４    発光ダイオード
１５    導光板
１６    コントローラ
１７    ケーシング
１８    見返し板
１９    透明カバー
２０    ロアカバー
２１    イグニッションスイッチ
２２    バッテリ
２３    回転センサ
２４    距離センサ
２５    発光ダイオード
２６    発光ダイオード
１００  コンビネーションメータ
Ａ    オドメータ
Ｂ    トリップメータ
Ｄ    表示ユニット
Ｄ´    表示ユニット固定位置
Ｔ    タコメータ（指針計器）
【図１】
2008014931.tif 000003
【図２】
2008014931.tif 000004
【図３】
2008014931.tif 000005
【図４】
2008014931.tif 000006
【図５】
2008014931.tif 000007
【図６】
2008014931.tif 000008
【図７】
2008014931.tif 000009
【図８】
2008014931.tif 000010